【手続補正書】
【提出日】平成22年6月4日(2010.6.4)
【手続補正１】
【補正対象書類名】特許請求の範囲
【補正対象項目名】全文
【補正方法】変更
【補正の内容】
【特許請求の範囲】
【請求項１】
鋭い先端部で終端する針を備える細長い本体と、
前端部と後端部とを有するスリーブであって、前記スリーブは、前記細長い本体の少なくとも一部の周りに配置され、前記鋭い先端部が前記スリーブによって保護的に囲まれる前方位置と、前記鋭い先端部が前記スリーブの前端部から突出する後方位置との間を、前記細長い本体に対して移動可能であるスリーブと、
前記前方位置と前記後方位置の中間の場所で、前記細長い本体から延びる第１のロック部材であって、前記第１のロック部材が前記スリーブを係合して前記スリーブが後方に移動するのを妨げる拡張構成と、前記第１のロック部材が前記スリーブを係合しないで前記スリーブが後方に移動するのを妨げる収納構成とを有する第１のロック部材と、
を備え、前記スリーブの少なくとも一部は、前記スリーブが前記第１のロック部材を移動するとき、前記格納構成の中に前記第１のロック部材を含むように構成された、ランセット。
【請求項２】
前記第１のロック部材が拡張構成にあるとき、前記第１のロック部材は、前記細長い本体の主軸に対して一般には角度を形成して前記細長い本体から前方方向に延びる、請求項１のランセット。
【請求項３】
前記ロック部材が格納構成にあるとき、前記第１のロック部材は、前記細長い本体の主軸とほぼ平行である、請求項１または２のランセット。
【請求項４】
前記細長い本体は、前記格納構成の中に前記第１のロック部材を収容するように位置付けされたウェルを有する、請求項１〜３のいずれか１項のランセット。
【請求項５】
前記スリーブの内部は、前記スリーブが前記第１のロック部材を移動するとき、前記格納構成の中に前記第１のロック部材を含むように配列された細長いガイド面を備えた、請求項１〜４のいずれか１項のランセット。
【請求項６】
前記スリーブの前記後端部は、前記第１のロック部材が前記収納構成にあるとき、前記スリーブの内部への前記第１のロック部材の入り込みを可能にするように、また、前記第１のロック部材が拡張構成にあるとき、前記スリーブの内部への前記第１のロック部材の入り込みを妨げるように構成された後部開口を画定する、請求項１〜５のいずれか１項のランセット
【請求項７】
前記第１のロック部材は、前記第１のロック部材が前記格納構成へ移動するとき、前記第１のロック部材を前記拡張構成に動かす剛性のある変形しやすい材料よりなる、請求項１〜６のいずれか１項のランセット。
【請求項８】
前記第１のロック部材から軸方向に間隔を置いて配置された第２のロック部材をさらに備え、
前記第２のロック部材は、拡張構成と格納構成との間を移動可能であり、前記第２のロック部材が前記格納構成へ移動するとき、前記第２のロック部材を前記拡張構成に動かす剛性のある可撓性材料よりなり、
前記スリーブの後端部は、前記第２のロック部材が前記格納構成にあるとき、前記スリーブの内部への前記第２のロック部材の入り込みを可能にするように、また、前記第２のロック部材が前記拡張構成にあるとき、前記スリーブの内部への前記第２のロック部材の入り込みを妨げるように構成された後部開口を画定し、
前記スリーブの内部は、前記第２のロック部材が前記内部への入り込みの後、前記拡張構成に戻ることができるように構成された、請求項１〜７のいずれか１項のランセット。
【請求項９】
前記第２のロック部材は、前記第１のロック部材の形状より可撓性のない形状よりなる、請求項８のランセット。
【請求項１０】
前記第２のロック部材は、少なくとも１つのバーブを備えた、請求項８または９のランセット。
【請求項１１】
前記拡張構成における前記第１のロック部材の遠位端が、前記細長い本体から第１の距離だけ離れて間隔を置かれ、前記格納構成における前記第１のロック部材の遠位端が、第２の距離だけ離れて間隔を置かれ、前記第２の距離は前記第１の距離より小さい、請求項１〜１０のいずれか１項のランセット。
【請求項１２】
鋭い先端部を有する着脱可能なランセットとともに使用するランシング装置であって、
内部空間と、前記ランセットが前記ランシング装置によって前記内部空間の中で動作可能に係合するように挿入されることができる開口前端部と、を有するハウジングを備え、
前記ランシング装置がコッキングされるときに、前記ランシング装置は前記ランセットが動作可能に係合することを選択的に妨げるように構成され、
前記ハウジング内に配置され、前記ランセットが前記ハウジングの前端部を通って挿入されるとき、前記ランセットを動作可能に係合するように構成され、少なくともコッキング（ｃｏｃｋｉｎｇ）された構成とコッキングされていない構成との間で移動可能であるランセット保持アセンブリと、
前記ハウジング内に移動可能に配置され、前記ハウジングの前端部と前記ランセット保持アセンブリとの間に少なくともその一部が配置された係合位置を有する連動装置と、
前記ランセット保持アセンブリが前記コッキングされていない構成にあるとき、前記ランセットの前記ハウジングへの挿入を可能にするために、前記連動装置を前記係合位置から外すように構成された配列と、を備えたランシング装置。
【請求項１３】
前記連動装置を前記係合位置まで動かすための付勢要素をさらに備え、前記配列は前記付勢要素にかけられた力を解消するほど十分大きな力を前記連動装置に加えるように構成された、請求項１２のランシング装置、
【請求項１４】
前記配列は、前記ランセット保持アセンブリを係合するトリガーを有し、
前記トリガーは少なくとも、前記コッキングされた位置において前記トリガーが前記ランセット保持アセンブリを保持する第１の位置と、前記ランセット保持アセンブリが前記コッキングされていない位置へ移動することを可能にするために、前記トリガーが前記ランセット保持アセンブリを開放する第２の位置とを移動可能であり、
前記トリガーが前記第１の位置から前記第２の位置へ移動するときに、前記連動装置を前記係合位置から外すために前記トリガーが前記連動装置と協働する、請求項１２または１３のランシング装置。
【請求項１５】
前記トリガーは、カム面を有するユーザ作動トリガーボタンを有し、
前記連動装置は、前記トリガーが前記第１の位置から前記第２の位置へ移動するとき、前記連動装置を前記ユーザ作動トリガーボタンから離すために前記カム面を係合するように構成されたカム・フォロワを有する、請求項１４のランシング装置。
【請求項１６】
前記連動装置は、本体部分と、前記ハウジングに取付けられたピボットとを備え、前記ピボットは、前記本体部分が前記ピボットの周りを回転して前記係合位置を往復することを可能にする、請求項１２〜１５のいずれか１項のランシング装置。
【請求項１７】
前記連動装置およびトリガーのうちの一方が、カム面を有し、前記連動装置およびトリガーのうちの他方が、前記トリガーが前記第１の位置から前記第２の位置へ移動するときに、前記カム面を係合するカム・フォロワを有する、請求項１２〜１６のいずれか１項のランシング装置。
【請求項１８】
前記本体部分を前記係合位置まで回転させるために、前記連動装置に動作可能に連結された付勢要素をさらに有する、請求項１２〜１７のいずれか１項のランシング装置。
【請求項１９】
前記付勢要素が片持ちばね、クリップばね、および板ばねのうちの１つである、請求項１８のランシング装置。
【請求項２０】
穿刺開口を画定する皮膚係合端部を有するハウジングと、
前記穿刺開口の有効寸法を、前記穿刺開口にユーザの皮膚を膨らませることができるように構成された第１の直径と、前記第１の直径より小さい第２の直径との間で動作可能に調整するユーザ作動アセンブリと、
鋭い先端部を有する着脱可能なランセットを有し、前記鋭い先端部が前記ユーザの膨らんだ皮膚を切開できるように、前記穿刺開口の有効寸法を前記第１の直径と前記第２の直径とのうちの１つに調整するとき、前記鋭い先端部を前記穿刺開口を通って瞬間的に突出させたり引っ込めたりするように構成されたランセットアセンブリと、
を備えたランシング装置。
【請求項２１】
他の部位の切開モードに対応する少なくとも１つの目標しるしをさらに備え、前記ユーザ作動アセンブリの一部が前記目標しるしと視覚的に関連して配置されるとき、前記ユーザ作動アセンブリが前記穿刺開口の有効寸法を前記第１の直径に調整するよう動作する、請求項２０のランシング装置。
【請求項２２】
前記ユーザ作動アセンブリは、前記第２の直径を画定する第２の開口を有するスリーブをさらに有し、前記スリーブは、前記穿刺開口の有効寸法を前記第１の直径と前記第２の直径との間でそれぞれ調整するために少なくとも後方位置と前方位置との間を移動可能であり、前記スリーブは前記後方位置にあるとき、切開の際に前記ユーザの膨れた皮膚が平らにならないように構成された、請求項２０または２１のランシング装置。
【請求項２３】
前記スリーブは、その後方位置では、ランシングの際にユーザの皮膚が前記穿刺開口を通って膨れ込むことができるように、前記穿刺開口から離れて十分に間隔を置かれている、請求項２２のランシング装置。
【請求項２４】
前記スリーブは、その前方位置では、ランシングの際に前記穿刺開口の有効寸法を前記第２の直径に調整するために、前記穿刺開口内に差し込まれ、前記ユーザ作動アセンブリは、前記鋭い先端部が前記穿刺開口を通って引っ込められるとき、前記スリーブを前記ランシングアセンブリから独立して動かし、前記スリーブを前記前方位置で保持するように構成される、請求項２２または２３のランシング装置。
【請求項２５】
前記着脱可能なランセットは、
前記鋭い先端部が配置された細長い本体をさらに備え、前記スリーブは前記細長い本体に摺動可能かつ同軸に取り付けられ、前記ユーザ作動アセンブリは、前記スリーブを前記細長い本体から独立して前記前方位置および前記後方位置に移動するように構成された、請求項２２〜２４のいずれか１項のランシング装置。
【請求項２６】
前記鋭い先端部が突出したり引っ込められたりするとき、前記スリーブは、前記ハウジングに対して静止したままである、請求項２５のランシング装置。
【請求項２７】
前記ランセットを前記ランセットアセンブリから取り除く排出装置をさらに備え、前記ランセットが取り除かれるとき、前記スリーブは、前記ランセットアセンブリに取り付けられたままである、請求項２２〜２６のいずれか１項のランシング装置。
【請求項２８】
前記着脱可能なランセットは、前記ランセットの少なくとも一部の回りに配置され前記ランセットに対して移動可能なスリーブを有し、
前記ユーザ作動アセンブリは、前記ハウジングの外側でユーザによって利用できる制御部材と、前記制御部材に動作可能に連結され、前記ハウジング内に配置されたスリーブ係合部とを有し、前記スリーブ係合部は、前記ランセットが前記ハウジング内に挿入されるとき、前記制御部材に応答し、前方位置と後方位置のうちの１つで前記スリーブを係合し、前記前方位置は、切開の際に前記スリーブが前記開口内に配置されるように、前記穿刺開口に十分近接しており、前記後方位置は、切開の際に前記穿刺開口から離れて十分間隔を置いて配置され、前記穿刺開口を通って皮膚を膨れ込むことができるように構成され、
ランセット係合機構は、前記ハウジング内で、前記スリーブ係合部が前記スリーブを係合する位置から独立した位置で前記ランセットを係合する、請求項２０のランシング装置。
【請求項２９】
前記制御部材は、他の部位の切開に対応する第１の位置と、指の切開に対応する第２の位置との間でユーザによって移動可能であり、前記制御部材が前記第１の位置へ移動するとき、前記アクチュエータが前記スリーブ係合部を後方位置の方へ移動させるように構成された、請求項２８のランシング装置。
【請求項３０】
前記アクチュエータは、前記ランセット係合機構から独立して前記スリーブ係合部を移動するように構成された、請求項２８または２９のランシング装置。
【請求項３１】
着脱可能なランセットとともに使用されるランシング装置は、
前記ハウジング内に配置され、前記ランセットを収容するランセットキャリアと、
前記ハウジングに取り付けられ、前記ランセットを前記ランセットキャリアから排出するように構成された排出スライドと、
前記排出スライドが前記ランセットを排出するとき、前記排出スライドと協働して、前記ランセットキャリアとの係合を妨害するように移動するロック部材と、
を備え、前記ロック部材は、前記排出スライドから離れた１つ以上のベアリング面の上で前記ハウジングと接触し、前記ロック部材は、前記ランセットキャリアによって働く力のほぼ全部が前記１つ以上のベアリング面を介して前記ハウジングに伝達される、ランシング装置。
【請求項３２】
前記ランセットキャリアとの係合を妨害するように前記ロック部材を動かす付勢要素をさらに備えた、請求項３１のランシング装置。
【請求項３３】
前記ロック部材が前記ランセットキャリアとの係合を妨害しているとき、前記ランセットキャリアは、前記ロック部材を前記排出スライドから離す、請求項３１または３２のランシング装置。
【請求項３４】
前記１つ以上のベアリング面は、前記ロック部材が前記ハウジングに回転可能に取付けられるピボットを有し、
前記ランセットキャリアは、前記ハウジングの縦軸に沿って移動し、前記縦軸に対して０と４５度の間の角度を形成する少なくとも１つの前部対向平面をさらに有し、
前記ロック部材は、前記ランセットキャリアの前方推進力に応答して前記排出スライドから離して回転させるように前記ロック部材を動かすように前記前部対向平面を係合する、請求項３１〜３３のいずれか１項のランシング装置。
【請求項３５】
前記１つ以上のベアリング面は、前記ロック部材が前記ハウジングに回転可能に取り付けられたピボットを有する、請求項３１〜３４のいずれか１項のランシング装置。
【請求項３６】
前記排出スライドが前記ランセットを排出するとき、前記排出スライドは、前記ランセットキャリアとの係合を妨害するまで前記ロック部材を回転させる、請求項３４または３５のランシング装置。
【請求項３７】
前記排出スライドが、前記ランセットを排出するとき、休止位置から前方へ移動し、前記ランセットを排出後、前記休止位置まで後方に移動するように構成され、
前記排出スライドが前記ランセットを排出するために後方へ移動するとき、前記排出スライドは、前記ランセットキャリアとの係合を妨害するまで前記ロック部材を前記ピボットの周りに回転させ、
前記排出スライドが前記休止位置まで後方に移動するとき、前記ランセットキャリアとの係合の妨害を外すまで前記ロック部材を前記ピボットの周りに回転させる、請求項３４または３５のランシング装置。
【請求項３８】
前記排出スライドが前記休止位置にあるとき、前記ロック部材の一部を収容するための凹部をその間で画定する前部対向面と後部対向面とを有する、請求項３７のランシング装置。
【請求項３９】
前記排出スライドが前記休止位置から前方へ移動するとき、前記前部対向面は前記ロック部材を係合し、前記ランセットキャリアとの係合を妨害するまで前記ロック部材を回転させる請求項３８のランシング装置。
【請求項４０】
前記前部対向面は、凸面である、請求項３８または３９のランシング装置。
【請求項４１】
前記ユーザ作動排出スライドがその休止位置まで後方に移動するとき、前記後部対向面は、前記ロック部材を係合し、前記ランセットキャリアとの係合の妨害を外すまで前記ロック部材を回転させるように構成された、請求項３８〜４０のいずれか１項のランシング装置。
【請求項４２】
前記ロック部材は、前記ベアリング面のうちの少なくとも１つの上で前記ハウジングに摺動可能に取り付けられ、前記排出スライドが前記ランセットを排出するとき、前記排出スライドは、前記ランセットキャリアとの係合を妨害するまで前記ロック部材を摺動させるように構成された、請求項３１〜３５のいずれか１項のランシング装置。
【請求項４３】
前記排出スライドおよび前記ロック部材のうちの一方がカム面を有し、前記排出スライドおよび前記ロック部材のうちの他方がカム・フォロワを有し、前記カム面および前記カム・フォロワは協働して、前記排出スライドが前記ランセットを排出するとき、前記ロック部材を摺動させる、請求項４２のランシング装置。
【請求項４４】
ランセットとともに使用されるランシング装置であって、
ハウジングと、
前記ハウジング内に摺動可能に配置されたキャリッジと、
前記キャリッジと係合し、前方の切開位置と後方の位置との間で前記キャリッジに対して移動可能なランセットキャリアと、
前記キャリッジに取り付けられ、前記ランセットが前記後方の位置まで移動することに応答して、コッキングされる位置まで移動するように構成され、前記コッキング（ｃｏｃｋｉｎｇ）される位置にあるとき、前記ランセットキャリアを前方に動かす駆動部材と、
前記キャリッジと前記ハウジングのうちの少なくとも１つに取り付けられ、前記ランセットキャリアが前記後方の位置にあるとき、前記ランセットキャリアの前方移動を選択的に抑制するように構成されたトリガーと、
前記キャリッジに動作可能に連結された深さ調整機構であって、前記深さ調整機構のユーザによる動きに応答して、前記キャリッジと前記ランセットキャリアとが一緒に前方方向および後方方向に移動する深さ調整機構と、
を備えたランシング装置。
【請求項４５】
前記駆動部材は、少なくとも前記ハウジングに対して前方および後方に移動可能な部分を有するばねを備え、前記ばねの前記部分は、前記ばねがコッキングされる位置にあるとき、前記ランセットキャリアを直接係合して前記ランセットを前方に動かす、請求項４４のランシング装置。
【請求項４６】
前記キャリッジに取り付けられ、前記ランセットキャリアが前記前方の切開位置にあるとき、前記ランセットキャリアを後方に動かすように構成された復帰ばねをさらに備え、前記復帰ばね全体は、前記深さ調整機構の移動に応答して、前記キャリッジとともに前方および後方に移動する、請求項４４または４５のランシング装置。
【請求項４７】
前記トリガーは、前記ハウジングに取り付けられた第１の部分と、前記キャリッジに取り付けられた第２の部分とを有し、前記第２の部分は前記深さ調整機構の前記ユーザによる動きに応答して、前記キャリッジとともに前方および後方に移動する、請求項４４〜４６のいずれか１項のランシング装置。
【請求項４８】
前記深さ調整機構は、ユーザによって複数の深さ設定の間を移動可能であり、前記後方の位置から前記前方の切開位置への前記ランセットキャリアの移動の長さは、前記複数の深さ設定の各々で一定である、請求項４４〜４７のいずれか１項のランシング装置。
【請求項４９】
前記ハウジングは縦軸を有し、前記ハウジングの前記縦軸に平行な少なくとも１つの内部ガイドトラックを備え、前記キャリッジは、前記内部ガイドトラックに相補的な突起を備え、前記キャリッジの前記突起は、前記キャリッジが前記ハウジングの中で前方および後方に摺動できるように前記ハウジングの前記内部ガイドトラックを係合する、請求項４４〜４８のいずれか１項のランシング装置。
【請求項５０】
前記キャリッジは、ボスを備え、前記駆動部材は、前記ボスに取り付けられたねじればねを備え、前記ねじればねは、前記ランセットキャリアの後方移動が前記ねじればねに張力をかけるように前記ランセットキャリアを係合する第１のタインを有する、請求項４４〜４９のいずれか１項のランシング装置。
【請求項５１】
前記キャリッジは、前記前方位置を決定するように前記ランセットキャリアを係合するストッパーを備えた、請求項４４〜５０のいずれか１項のランシング装置。
【請求項５２】
前記キャリッジは、前記ランセットの前方部分を係合するレシーバを備え、前記レシーバの軸方向位置は、前記キャリッジの前記軸方向位置に対して固定されている、請求項４４〜５１のいずれか１項のランシング装置。